(57)【特許請求の範囲】
【請求項１】
車両において車室内側を覆う内装部品とその車両外側に対向配置される対向部材との間に空間を保つために前記内装部品から前記対向部材に向かって突出形成された突出部の先端に組み付けられる弾性部品として配置され、
前記突出部に所定位置まで組み付けられた際に、前記突出部の突出側先端面に被さるように位置して前記対向部材と当接する当接部と、その当接部に設けられて前記突出部の突出側先端面の一部を露出させる開口と、その開口を取り囲む開口外周部に設けられて前記突出側先端面に対し同一平面をなして隣接する位置合わせ面と、を備えることを特徴とする車両用緩衝部品。
【請求項２】
筒状の前記突出部に所定位置まで組み付けられた際に、その突出部の先端開口に被さるように位置し、前記対向部材に当接する前記当接部と、その突出部の突出先端側の外周を囲む筒状外周部と、を一体に有したキャップ状をなす請求項１に記載の車両用緩衝部品。
【請求項３】
前記当接部は、前記筒状外周部における該当接部側の環状端面の周方向複数個所から、筒状の前記突出部の先端開口上を通過する形で内向きに延出し、かつ該先端開口の中心部上で互いが連結する複数の頂上延出部により形成され、それら各頂上延出部は、その中心部側ほど前記先端開口から離間して位置する湾曲形状をなす請求項２に記載の車両用緩衝部品。
【請求項４】
板状の前記突出部の突出先端側で被さるように位置し、前記対向部材に当接する前記当接部と、その突出先端側の表裏双方の主表面を挟む形で位置する対をなす対向部と、を一体に有したＵ字状をなし、その当接部を切り欠く形で前記開口が形成された請求項１に記載の車両用緩衝部品。
【発明の詳細な説明】
【技術分野】
【０００１】
本発明は、車両用緩衝部品に関する。
【背景技術】
【０００２】
例えば車両のドアには、その車室内側を覆う内貼りとしてドアトリムが設けられている。このドアトリムは、ドアの車室内側に設けられる対向部材（例えばインナーパネル）のさらに車室内側を覆う形で配置され、対向部材との間に一定の厚みの空間を形成している（特許文献１参照）。ところが、この空間が存在することにより、車室内の運転者の膝が押し当てられると凹み、変形する問題がある。このため、ドアトリムには、対向部材側に向かって突出し、その先端が対向部材に当接するボス（突出部）を設け、ドアトリムの凹みを防いでいる。
【先行技術文献】
【特許文献】
【０００３】
【特許文献１】特開平８−２３８９３１号公報
【発明の概要】
【発明が解決しようとする課題】
【０００４】
しかしながら、車両の走行中の走行振動により、ボス（突出部）の先端と対向部材とが接触と離間を繰り返して、異音を発生する可能性がある。
【０００５】
本発明の課題は、車両の内装部品に設けられたボスと対向部材との接触による異音の発生を抑制でき、かつボスへの取り付け作業が容易となる車両用緩衝部品を提供することにある。
【課題を解決するための手段及び発明の効果】
【０００６】
上記課題を解決するために、本発明の車両用緩衝部品は、
車両において車室内側を覆う内装部品とその車両外側に対向配置される対向部材との間に空間を保つために前記内装部品から前記対向部材に向かって突出形成された突出部の先端に組み付けられる弾性部品として配置され、
前記突出部に所定位置まで組み付けられた際に、前記突出部の突出側先端面に被さるように位置して前記対向部材と当接する当接部と、その当接部に設けられて前記突出部の突出側先端面の一部を露出させる開口と、その開口を取り囲む開口外周部に設けられて前記突出側先端面に対し同一平面をなして隣接する位置合わせ面と、を備えることを特徴とする。
【０００７】
なお、本発明の内装部品とは、ドア開時あるいはドア閉時において車室内に露出する形で配置される板状（パネル状）の部品（パネル部材）であり、かつ空間を挟む形で車外側に対向配置される対向部材が存在する部品であればよく、上述のドアトリムの他にも、例えば、スカッフプレートや、パッケージトレイ、ピラーガーニッシュ、バックドアガーニッシュ、デッキサイドトリム等であってもよい。また、本発明の対向部材は、内装部品に対し空間を挟む形で車外側に対向して配置される板状の部材であればよい。
【０００８】
上記本発明の構成によれば、ドアトリム等の内装部品から突出する突出部（例えばボス等）の先端に、キャップのような弾性体が緩衝部品として取り付けられる。これにより、突出部の先端と、対向部材との間には、緩衝部品として弾性体が介在することとなるため、異音の発生を防ぐことができる。
【０００９】
しかしながら、内装部品の突出部先端に有底筒状のキャップを取り付ける場合、本発明の緩衝部品が突出部に対しどの程度差し込まれたかを確認することができず、差し込み不足であるか否かを判断することが難しい。この課題に対し、本発明の車両用緩衝部品は、内装部品の突出部の先端面を露出させる開口が設けられており、その開口から差し込み状態を確認することが可能となっている。さらに、本発明の車両用緩衝部品は、その開口を取り囲む開口外周部の一部に、内装部品の突出部先端に対し正常に組み付けられたときにその突出部の先端面と面一となる部分を設けたことで、正常な差し込み状態であるか否かを目視確認することができる。また、その面一となる部分が突出部の先端面に隣接していることで、正常な差し込み状態であるか否かの目視判断が容易となっている。
【００１０】
本発明の車両用緩衝部品は、内装部品の筒状の突出部に所定位置まで組み付けられた際に、その突出部の突出先端側を被覆するように形成され、対向部材に当接する部位となる当接部と、その突出部の突出先端側の外周を囲む筒状外周部と、を一体に有したキャップ状をなすものとすることができる。この場合、その当接部に上述の開口を設けることができる。内装部品の突出部が筒状をなす場合、その先端部を覆うように取り付けるためには、有底筒状をなすキャップ形状とすることができる。ところが、組み付けに際して、キャップ形状の車両用緩衝部品は、内部の空気によって組み付け方向とは逆向きの圧力を受けて、組み付けが妨げられ、所定位置まで組み付けることができなくなる可能性がある。本発明の車両用緩衝部品には、内装部品の筒状の突出部の先端を覆う当接部に開口が設けられているから、組み付けに際して内部の空気を逃がすことができ、所定位置まで組み付け可能である。
【００１１】
本発明の車両用緩衝部品において、上記当接部は、突出部の外周面を取り囲む筒状外周部における環状端面の周方向複数個所から、筒状の突出部の先端開口上をその中心部に向かって延出し、かつ該中心部において互いが連結する複数の頂上延出部により形成され、それら頂上延出部は、該中心部ほど内装部品の突出部開口（即ち突出部の先端開口）から離間して位置する湾曲形状をなすように形成できる。この構成によれば、車両用緩衝部品の当接部は、中心部ほど内装部品の突出部開口から離間するドーム状をなすから、対向部材に対しそのドーム状の中心部で滑らかに当接できるとともに、その中心部が内装部品の突出部開口に接近する弾性変形を生じやすい形状でもあるから、振動等を確実に吸収し、異音の発生防止に貢献できる。
【００１２】
本発明の車両用緩衝部品は、内装部品の板状の突出部の先端側を被覆して対向部材に当接する当接部と、その先端の表裏双方の主表面側で挟む対向部と、を一体に有したＵ字状をなし、その当接部を切り欠く形で開口を有して構成できる。この場合、内装部品の板状の突出部の先端面と、その先端面を露出させる開口を取り囲む開口外周部の一部と、が面一となっているか否かを、その開口から目視確認できる。
【図面の簡単な説明】
【００１３】
【図１】本発明の車両用緩衝部品が配置される車両ドアの構造の一例を示した断面図。
【図２】図１の車両用緩衝部品の第一実施例であって、その取り付け前状態を示した斜視図。
【図３】図２の車両用緩衝部品の取り付け後状態を示した斜視図。
【図４】図２の車両用緩衝部品の平面図。
【図５】図２の車両用緩衝部品の底面図。
【図６】図２の車両用緩衝部品の正面図。
【図７】図２の車両用緩衝部品の斜視図。
【図８】図３の平面図。
【図９】図８のIX−IX断面図。
【図１０】図８のX−X断面図。
【図１１】本発明の車両用緩衝部品の第二実施例であって、その取り付け前状態を示した斜視図。
【図１２】図１１の車両用緩衝部品の取り付け後状態を示した斜視図。
【図１３】本発明の車両用緩衝部品の第三実施例であって、その取り付け前状態を示した斜視図。
【図１４】図１３の車両用緩衝部品の取り付け後状態を示した斜視図。
【図１５】図１３の車両用緩衝部品の平面図。
【図１６】図１３の車両用緩衝部品の底面図。
【図１７】図１３の車両用緩衝部品の正面図。
【図１８】図１３の車両用緩衝部品の斜視図。
【図１９】図１４の平面図。
【図２０】図１９のXX−XX断面図。
【図２１】図１９のXXI−XXI断面図。
【図２２】本発明の車両用緩衝部品の第四実施例であって、その取り付け前状態を示した斜視図。
【図２３】図２２の車両用緩衝部品の取り付け後状態を示した斜視図。
【発明を実施するための形態】
【００１４】
以下、本発明の実施の形態につき図面に示す実施例を参照して説明する。
【００１５】
本発明の車両用緩衝部品１は、車両の車室内側を覆う内装部品１０１とその車両外側に対向配置される対向部材１０２との間に空間１０５を保つために内装部品１０１から対向部材１０２に向かって突出形成された突出部１２０の先端に組み付けられる弾性部品として配置される部品である。
【００１６】
本実施例における内装部品１０１は、車両ドア１００の車室内側を覆う内装パネル１０１であって、ここではドアトリム１０１としている。また、対向部材１０２は、内装部品１０１に対向配置されるものであればよく、ここではドアインナーパネル１０２としている。車両のドア１００は、例えば図１に示すように、車外側にドアアウターパネル１０３が、車室内側にドアインナーパネル１０２が設けられ、そのドアインナーパネル１０２のさらに車室内側にドアトリム１０１が設けられており、車両用緩衝部品１は、そのドアトリム１０１から突出形成された突出部１２０に取り付けて使用される。なお、ドアインナーパネル１０２及びドアアウターパネル１０３には、鉄やアルミニウム、ＣＦＲＰ（carbon-fiber-reinforced plastic）等の材料を採用できる。また、ドアトリム１０１には、ポリプロピレン等の材料を採用できる。なお、これらの材料については、他の材料を用いてもよい。
【００１７】
車両用緩衝部品１は、図１に示すように、車両ドア１００の車室内側を覆うドアトリム１０１とその車両外側に対向配置される対向部材（ここではインナーパネル）１０２との間に空間１０５を保つために、ドアトリム１０１から対向部材１０２に向かって突出形成された突出部１２０の先端１２１に組み付けられる弾性部品である。なお、ここでいう弾性部品とは、車両用緩衝部品１の取付対象よりも柔らかい（即ちヤング率が低い）ものを対象とする。弾性部品である車両用緩衝部品１は、車両ドア１００において、ドアトリム１０１の突出部１２０と対向部材１０２との間で双方に当接する形で配置され、双方の振動を吸収し、異音の発生を抑制する。本実施例の車両用緩衝部品１は、エラストマーからなる射出成形体である。なお、車両用緩衝部品１の材料についてはエラストマー以外の弾性材を用いてもよい。
【００１８】
突出部１２０は、図２に示すように、ドアトリム１０１の本体（板状部）１１０側となる基端側から突出先端側に向かって突出する。車両用緩衝部品１は、その突出部１２０の先端１２１に対し、その突出方向１２０Ｘとは逆向きに向かう形で組み付けられる。本実施例の突出部１２０は有底筒状（ここでは有底円筒状）のボスである（図８〜図１０参照）。
【００１９】
車両用緩衝部品１は、図３に示すように、その突出部１２０の突出先端１２１（図２参照）側に被さる。つまり、車両用緩衝部品１は、ドアトリム１０１から突出する突出部１２０の先端１２１に、キャップのように取り付けられる弾性部品である。これにより、ドアトリム１０１の突出部１２０の先端１２１と、対向部材１０２との間には、弾性部品をなす緩衝部品１が接触する形で介在することとなり、異音の発生を防ぐことができる。
【００２０】
また、車両用緩衝部品１は、突出部１２０に対しその突出方向１２０Ｘとは逆向きに所定位置まで組み付けられた際に、組み付いた突出部１２０の突出側先端面１２１Ａの一部１２１ａを露出させる開口２Ｈと（図１０参照）、その開口２Ｈを取り囲む開口外周部としての頂上延出部３Ａ，３Ａ、環状端面４Ａ（詳細は後述する）の一部をなし、突出部１２０の突出側先端面１２１Ａの一部１２１ａに面一（同一平面）となって隣接する位置合わせ面２ａと、を備える。開口２Ｈを備えることにより、突出部１２０に組み付けられた時に、開口２Ｈ内を覗くことで突出部１２０に対しどの程度差し込まれたかを目視確認でき、また、位置合わせ面２ａを備えることにより、位置合わせ面２ａと突出部１２０の先端面１２１Ａの一部１２１ａとが面一であるか否かの目視判断から、正常に組み付けられたか否かを判定できる。さらにいえば、位置合わせ面２ａと突出部１２０の先端面１２１Ａの一部１２１ａとが互いに隣接する位置関係にあることが、面一であるか否かの目視判断をより容易にしている。
【００２１】
本実施例の車両用緩衝部品１は、ドアトリム１０１における筒状の突出部１２０の突出先端１２１側の外周を囲む筒状外周部４と、筒状の突出部１２０の先端開口１２１Ｈ（図２参照）に被さるように位置し、対向部材１０２に当接する部位となる当接部３と、を一体に有したキャップ状をなす。上記開口２Ｈは、当接部３に形成される。
【００２２】
当接部３は、図４に示すように、筒状外周部４における当接部３側の環状端面４Ａの周方向複数個所から内向きに延出し、ドアトリム１０１の筒状の突出部１２０の先端開口１２１Ｈ上を通過する頂上延出部３Ａにより形成される。それら各頂上延出部３Ａは、突出部１２０の先端開口１２１Ｈの中心部上で互いが連結し、その連結部が対向部材１０２に当接する頂上部３Ｂを形成する。また、それら各頂上延出部３Ａは、先端開口１２１Ｈの中心部側（頂上部３Ｂ側）ほど、先端開口１２１Ｈから離間して位置する湾曲形状をなす（図６参照）。即ち、当接部３はドーム状に形成されており、対向部材１０２に対しそのドーム状の中心部（頂上部３Ｂ）にて滑らかに当接することができる。また、その中心部（頂上部３Ｂ）は、突出部１２０の先端開口１２１Ｈ側に接近する弾性変形を生じやすい形状でもあるから、振動等を確実に吸収し、異音の発生防止に貢献する。
【００２３】
開口２Ｈは、頂上部３Ｂの周りの周方向（即ち、筒状外周部４の軸線１２０ｘ（図９参照）の周りの周方向）において互いに隣接する頂上延出部３Ａ，３Ａの間に、筒状の突出部１２０における先端面１２１Ａを被覆せず、外部に露出させる貫通孔として形成される。この開口（貫通孔）２Ｈは、車両用緩衝部品１を突出部１２０に組み付けられる際に、部品１内部の空気を外に逃がす空気孔として機能する。これにより、緩衝部品１は、突出部１２０に対し所定位置まで容易に組み付けることができる。
【００２４】
頂上延出部３Ａは、図４〜図７に示すように、筒状外周部４における当接部３側の環状端面４Ａにおいて等間隔おきに複数個所（ここでは４か所）から上記頂上部３Ｂに向かって延出形成される。そして、互いに隣接する頂上延出部３Ａ，３Ａの間に挟まれる形で、上記開口２Ｈが形成される。さらにいえば、上記開口２Ｈは、頂上部３Ｂで連結する形で互いが隣接する頂上延出部３Ａ，３Ａと、それら頂上延出部３Ａ，３Ａにおける頂上部３Ｂ側とは逆の外周側端部３Ｃ，３Ｃに挟まれる環状端面４Ａとにより取り囲まれて形成されている。即ち、これらの頂上延出部３Ａ，３Ａ及び環状端面４Ａが、上記開口２Ｈを取り囲む開口外周部を形成している。なお、ここでいう外周側端部３Ｃ，３Ｃに挟まれる環状端面４Ａとは、上記の位置合わせ面２ａのことである。
【００２５】
なお、図６は、車両用緩衝部品１の正面図であるが、背面図及び左右側面図もこれと同様に現れる。
【００２６】
以上、本発明の一実施例を説明したが、これはあくまでも例示にすぎず、本発明はこれに限定されるものではなく、特許請求の範囲の趣旨を逸脱しない限りにおいて、当業者の知識に基づいて、追加及び省略等の種々の変更が可能である。
【００２７】
以下、上記実施例とは異なる別の実施例や変形例について説明する。なお、上記実施例と共通の機能を有する部位には同一符号を付して詳細な説明を省略する。また、上記実施例と下記変形例とは、技術的な矛盾を生じない範囲において適宜組み合わせて実施できる。
【００２８】
上記実施例においては、内装部品１０１としてドアトリムを、対向部材１０２としてドアインナーパネルを用いているが、これらは他の部品でもよい。内装部品１０１は、ドア開時あるいはドア閉時において車室内に露出する形で配置される板状の部品であり、かつ空間を挟む形で車外側に対向配置される対向部材１０２が存在する部品であればよく、例えば、スカッフプレートや、パッケージトレイ、ピラーガーニッシュ、バックドアガーニッシュ、デッキサイドトリム等であってもよい。対向部材１０２は、内装部品１０１に対し空間を挟む形で車外側に対向して配置される部材であればよい。
【００２９】
また、上記実施例では、ドアトリム１０１の筒状の突出部１２０に対し車両用緩衝部品１が組み付けられているが、突出部１２０は他の形状でもよく、車両用緩衝部品１もそれに応じて形成されていればよい。
【００３０】
例えば図１１及び図１２に示すように、突出部１２０を板状とした場合、車両用緩衝部品１は、その板状の突出部１２０の突出先端１２１側で被さるように位置し、対向部材１０２に当接する部位となる当接部３と、その突出先端１２１の表裏双方の主表面１２１ｂ，１２１ｂを挟む形で位置する対をなす対向部１４，１４（図１１参照）と、を一体に有したＵ字状をなす。そして、当接部３を切り欠く形で開口２Ｈが形成される。具体的にいえば、当接部３は、図１２に示すように、対をなす対向部１４，１４を板状の突出部１２０の突出先端１２１側で連結するように湾曲した連結部をなすとともに、板状の突出部１２０をその突出先端１２１側において板厚方向に貫通するよう切り欠かれる。この切り欠き部として形成される開口２Ｈは、対をなす対向部１４，１４の間に挟まれる突出部１２０の突出側先端面１２１Ａの一部１２１ａを露出させる。
【００３１】
なお、この開口２Ｈを取り囲む開口外周部は、切り欠き部をなす開口２Ｈが形成されることにより露出した対をなす対向部１４，１４の当接部３側の先端面１４Ａ，１４Ａと、当接部３における当該切り欠き部２Ｈを挟む対向端部（対向部）４Ｄ，４Ｄとにより形成される。この実施例では、車両用緩衝部品１は、突出部１２０に対し所定位置まで組み付けられた際に、図１２に示すように、開口２Ｈから突出部１２０の突出側先端面１２１Ａの一部１２１ａを露出させるとともに、その面１２１ａと、対向部１４，１４の当接部３側の先端面１４Ａ，１４Ａとが面一（同一平面）をなして隣接する。したがって、先端面１４Ａ，１４Ａが既に述べた実施例と同様の位置合わせ面２ａ，２ａとして機能している。
【００３２】
また、上記実施例の車両用緩衝部品１は、図１３〜図２１に示すように、その筒状外周部４に、その内外を貫通し、開口２Ｈへとつながる切り欠き部４Ｕを設けることができる。これにより、その切り欠き部４Ｕを側方から覗くことで、位置合わせ面２ａと突出部１２０の先端面１２１Ａの一部１２１ａとが面一であるか否かを、より容易に判断できる。ここでの切り欠き部４Ｕは、筒状外周部４における環状端面４Ａのうち、当接部３の外周回りにおいて隣接する外周側端部３Ｃ，３Ｃの間に、下方に切り欠かれる形でそれぞれ形成されている。
【００３３】
また、上記実施例の車両用緩衝部品１は、図１３〜図２１に示すように、当接部３の頂上部３Ｂに上下に貫通する貫通孔３Ｈを設けることができる。この貫通孔３Ｈは、車両用緩衝部品１を突出部１２０に組み付けられる際に、開口２Ｈと共に、部品１内部の空気を外に逃がす空気孔として機能する。
【００３４】
また、車両用緩衝部品１は、上記のような切り欠き部４Ｕや貫通孔３Ｈといった肉抜き部が設けられることで、全体が弾性変形しやすくなる。これにより、突出部１２０に対する組み付けがより容易となる。また、弾性変形しやすい形状となったことで、車両用緩衝部品１の材料をより硬い材料に変更することも可能になる。
【００３５】
また、切り欠き部４Ｕは、図１１に示すような板状の突出部１２０の先端１２１に被さる車両用緩衝部品１にも適用できる。即ち、図１１の車両用緩衝部品１は、当接部３と、対向部１４，１４と、を一体に有したＵ字状をなし、その当接部３を切り欠く形で開口２Ｈを有する。そして、対向部１４，１４は、その長手方向における開口２Ｈの形成区間において、例えば図２２及び図２３に示すように、その開口２Ｈへとつながる切り欠き部４Ｕを形成することができる。この場合も、その切り欠き部４Ｕを側方から覗くことで、位置合わせ面２ａと突出部１２０の先端面１２１Ａの一部１２１ａとの位置関係（即ち、高さの違い）を直接視認することができるから、それらが面一であるか否かの判断がより容易となる。ここでの切り欠き部４Ｕは、開口２Ｈの形成区間における中間位置において下方に切り欠かれる形で形成されている。
【符号の説明】
【００３６】
１  車両用緩衝部品
１００  車両ドア
１０１  ドアトリム（内装部品）
１０２  ドアインナーパネル（対向部材）
１２０  突出部
【図１】
0006747890.tif 000002
【図２】
0006747890.tif 000003
【図３】
0006747890.tif 000004
【図４】
0006747890.tif 000005
【図５】
0006747890.tif 000006
【図６】
0006747890.tif 000007
【図７】
0006747890.tif 000008
【図８】
0006747890.tif 000009
【図９】
0006747890.tif 000010
【図１０】
0006747890.tif 000011
【図１１】
0006747890.tif 000012
【図１２】
0006747890.tif 000013
【図１３】
0006747890.tif 000014
【図１４】
0006747890.tif 000015
【図１５】
0006747890.tif 000016
【図１６】
0006747890.tif 000017
【図１７】
0006747890.tif 000018
【図１８】
0006747890.tif 000019
【図１９】
0006747890.tif 000020
【図２０】
0006747890.tif 000021
【図２１】
0006747890.tif 000022
【図２２】
0006747890.tif 000023
【図２３】
0006747890.tif 000024